(57)【要約】【課題】  自毛を引抜かない程度の粘着力を有し、自毛の上からかつらを固定することができ、かつ、何度もかつらの着脱が自在なゲル状部材を備えるかつらを提供する。【解決手段】  かつらを頭部に接着する部材がゲル状部材であって、かつらを繰り返し着脱しても、ゲル状部材がかつらを固定する粘着力を有することを特徴とするゲル状部材を備えるかつらとする。ここで、ゲル状部材は、シリコーンゲルやウレタンゲルとすることができ、ゲル状部材の粘着力が自毛の引抜き力より弱いことにするとよい。【選択図】    図１
2014148762.tif 000002
【特許請求の範囲】
【請求項１】
かつらを頭部に接着する部材がゲル状部材であって、前記かつらを繰り返し着脱しても、前記ゲル状部材がかつらを固定する粘着力を有することを特徴とするゲル状部材を備えるかつら。
【請求項２】
前記ゲル状部材が、シリコーンゲル又はウレタンゲルであることを特徴とする請求項１に記載のゲル状部材を備えるかつら。
【請求項３】
前記ゲル状部材の粘着力が、自毛の引抜き力より弱いことを特徴とする請求項１又は２に記載のゲル状部材を備えるかつら。
【請求項４】
前記ゲル状部材の粘着力が、３０ｇｆ以上で１５０ｇｆ以下であることを特徴とする請求項１から３に記載のゲル状部材を備えるかつら。
【発明の詳細な説明】
【技術分野】
【０００１】
本発明は、頭部との接着部材としてゲル状部材を備えるかつらに関し、特に、自毛の上からでも接着でき、かつ、何度も着脱が自在なかつらに関する。
【背景技術】
【０００２】
従来より、かつらを頭部に固定するときは、接着部材として接着剤や粘着剤又は両面粘着テープを使用することが多い。接着剤や粘着剤を使用する場合には、液状又はクリーム状の接着剤や粘着剤を頭部又はかつらに塗布して接着する。一方、両面粘着テープを用いる場合は、まず両面粘着テープをかつらに貼り付け、それを頭部に固定する（例えば、特許文献１参照）。
【０００３】
接着剤や粘着剤を用いる場合の問題点としては、（１）接着剤や粘着剤が固化する前に装着作業を完了しなければならないため、固化するまでの時間を考慮して、正確な位置に接着作業を行う必要がある、（２）自毛が残っている人が使用した場合には、かつらを取り外す際に、毛髪に接着剤や粘着剤が付着してしまうため、これを除去するために専用のリムーバー等を用いる必要がある、（３）毛髪に付着した接着剤や粘着剤を除去する際や、かつらを取り外す際に自毛を引抜いてしまう虞があるので、予め、自毛を剃っておくのが望ましい、といったことが挙げられる。
【０００４】
さらに、問題点の（１）とも関連するが、かつらを一旦取り外した後において、改めて装着する際には、再度接着剤や粘着剤を塗布しなければならない、という問題点もある。
【０００５】
また、両面粘着テープを用いる場合の問題点としては、（４）両面粘着テープの接着力が一般的に弱いために、補助的な装着にしか用いることができない、（５）自毛が残っている場合には、毛髪の上から接着すると接着力が低下するので、予め残っている自毛を剃らなければならない、といったことが挙げられる。
【先行技術文献】
【特許文献】
【０００６】
【特許文献１】特開平１１−３２３６４６
【発明の概要】
【発明が解決しようとする課題】
【０００７】
本発明は、上記問題の解消を目的としたもので、自毛を引抜かない程度の粘着力を有し、自毛の上からかつらを固定することができ、かつ、何度もかつらの着脱が自在なゲル状部材を備えるかつらを提供することを課題とする。
【課題を解決するための手段】
【０００８】
上記の目的を達成するために本発明のゲル状部材を備えるかつらは、かつらを頭部に接着する部材がゲル状部材であって、前記かつらを繰り返し着脱しても、前記ゲル状部材がかつらを固定する粘着力を有することを特徴とするものである。
【０００９】
ここで、ゲル状部材は、シリコーンゲル又はウレタンゲルとすることができる。また、ゲル状部材の粘着力が、自毛の引抜き力より弱いことにするとよい。具体的な粘着力の値としては、３０ｇｆ以上で１５０ｇｆ以下にするとよい。
【発明の効果】
【００１０】
本発明のゲル状部材を備えるかつらによれば、繰り返しかつらの着脱が可能であり、また、自毛の有無に係わらず接着可能であるという効果を奏する。さらに、かつらの着脱によって、自毛が引抜かれないという効果も奏する。
【図面の簡単な説明】
【００１１】
【図１】本発明に係るゲル状部材を備えるかつらを装着する前の図である。
【図２】かつらベース裏面のゲル状部材の設置例を示す図であって、（ａ）は、分け目に人工皮膚を設けた例、（ｂ）は生え際に人工皮膚を設けた例である。
【図３】基材を用いたゲル状部材の実施例の斜視図である。
【発明を実施するための形態】
【００１２】
以下、本発明の実施の形態を、添付図面を参照して説明する。
図１は、本発明に係るゲル状部材を備えるかつらを装着する前の図である。まず、かつらベース１１の裏面にゲル状部材２０を接着して粘着層を形成する。そして、粘着層が形成されたかつら１０を頭部３０に圧着することで、かつら１０が固定される。
【００１３】
ゲル状部材２０としては、シリコーンゲル又はウレタンゲルが良い。このようなゲル状部材２０であれば、自毛３１が残っている人が自毛３１の上から装着して固定することも可能である。当然、自毛３１が残っていない人でも使用できる。
【００１４】
自毛３１が多く残っている場合と、自毛３１がほとんど無い場合とでは、ゲル状部材２０の粘着力が同じでも、自毛３１が多く残っている方がかつらの固定力は弱くなる。そこで、ゲル状部材２０の粘着力は、毛髪の上からも圧着できることを想定して決定した。つまり、自毛が引抜かれない程度の粘着力であって、毛髪の上からでも十分にかつらを固定できる粘着力が必要とされる。具体的な値としては、３０ｇｆ以上で１５０ｇｆ以下の粘着力がよい。ここで、下限値の３０ｇｆは、無毛状態の頭部にかつらを保持するためには２０ｇｆ程度の粘着力が必要なのに対し、自毛３１の存在や皮脂などの粘着阻害要因を付加して決定した値である。一方、上限値の１５０ｇｆは、頭髪密度が１５０本／ｃｍ２以下の薄毛ではあるが自毛３１が多く残っている状態の頭部を想定し、そのような状態の頭部にかつらを固定するための必要粘着力と、毛髪の引抜き力から算出して１５０ｇｆとした。なお、上限値は皮膚外用剤で用いられる粘着力と同程度の粘着力である。また、ゲルの硬さを示すちょう度としては、１２０〜１８０／１０ｍｍ程度とすればよい。
【００１５】
ゲル状部材２０の厚さは、毛髪径である０．０５ｍｍを最低厚とし、自毛３１がどの程度残っているかによって決定するとよい。つまり、自毛３１が少なければ、頭皮に接する面積が広くなるので厚くする必要はないが、自毛３１が多く残っている場合には、毛髪がゲル状部材２０に多く接することにより、頭皮との接触面積が狭くなるので、ある程度厚くする必要がある。
【００１６】
このようなゲル状部材２０を用いれば、かつら１０を繰り返し着脱してもかつら１０を頭部３０に固定できるような粘着力を残すことができる。そうすると、いつでもかつら１０の装着位置を自由に修正することが可能になる。なお、ゲル状部材２０の粘着力は、かつら１０の着脱を繰り返すと、ゴミや頭部の皮脂が付着することにより低下すると考えられるが、水で洗い流せば粘着力を回復させることが可能なゲルを使用しておけば、粘着力低下の問題は解決できる。
【００１７】
また、普通に接着剤や粘着剤を使用するのと比較して、ゲル状部材２０であれば、糊残りがほとんどないという利点もある。つまり、自毛３１を引抜いてしまう虞がほとんどなく、仮に抜けるとしても、少量で済むと考えられる。
【００１８】
ゲル状部材２０は、人工皮膚の裏面やかつらベース１１の任意の位置に設けることができる。図２は、かつらベース裏面のゲル状部材の設置例を示す図であって、（ａ）は、分け目に人工皮膚を設けた例、（ｂ）は生え際に人工皮膚を設けた例である。
【００１９】
人工皮膚１２になっている部分は、特に毛髪の薄い部分なので、そのような分け目部分や生え際部分にゲル状部材２０を設けると、頭皮に直接接着したのに近い状態になり、接着力が高いといえる。
【００２０】
本発明に係るゲル状部材２０であれば、自毛３１の上からも接着することができるので、人工皮膚１２以外の部分や襟足などに部分的にゲル状部材２０を設けることで、よりずれにくい態様でかつら１０を接着することが可能になる。
【００２１】
次に、ゲル状部材２０の他の実施例を示す。図３は、基材を用いたゲル状部材の実施例の斜視図である。このようにかつらベース側には第１のゲル状部材２０ａ、頭皮側には第２のゲル状部材２０ｂを設け、これらで基材２１を挟む積層構造とする。この場合には、頭皮側とかつらベース側とで、粘着力の異なるゲル状部材（２０ａ、２０ｂ）を設けることが可能である。そうすると例えば、かつらベース側を強固に接着し、頭皮側の接着力を小さくすれば、かつらの着脱を容易にすることができる。
【００２２】
なお、本発明のゲル状部材を備えるかつらは、自毛の上からでも使用できるので、毛髪が薄くなった男性だけではなく、女性や若者のファッションとしてのかつらにも使用することが可能である。
【符号の説明】
【００２３】
１０    かつら
１１    かつらベース
１２    人工皮膚
２０    ゲル状部材
２０ａ  第１のゲル状部材
２０ｂ  第２のゲル状部材
２１    基材
３０    頭部
３１    自毛
【図１】
2014148762.tif 000003
【図２】
2014148762.tif 000004
【図３】
2014148762.tif 000005